(57)【要約】    【課題】  ＯＳＤ機能を用いることなくビデオ画像に文字情報を表示させると共に、常に、文字情報の可読性を確保することを目的とする。    【解決手段】  画素変換器６において、ビデオ画像の文字表示位置付近の色情報分布に基づいて、表示する文字色を最適化し、文字情報をビデオ画像に書き戻すことにより、ＯＳＤ機能を用いることなくビデオ画像に文字情報を表示させると共に、常に、文字情報の可読性を確保することができる。また、ビデオ画像の文字表示位置付近の色情報分布に基づいて、背景プレーン色制御器７にて背景プレーン色を文字色にして、ビデオ画像のアルファブレンド率を操作することにより文字列を表示することにより、ＯＳＤ機能を用いることなくビデオ画像に文字情報を表示させると共に、常に、文字情報の可読性を確保することができる。【選択図】    図１
2005033741.tif 000002
【特許請求の範囲】
【請求項１】
テレビジョン信号を復調するテレビジョン信号復調器と、
復調されたテレビジョン信号に含まれるビデオ映像信号をデコードするビデオデコーダと、
デコードされたビデオ映像を蓄積する記憶装置と、
前記テレビジョン信号から文字情報信号を復号化する文字情報デコーダと、
前記文字情報信号から文字列を作成する文字形状作成器と、
前記文字列の可読性が最良となる色変換規則により前記文字列を表示する部分のビデオ映像の画素色を変換する画素変換器と、
ビデオ映像を入力して画像を表示する表示装置と
を有し、前記文字列を表示する部分のビデオ映像の画素色を変換することにより、ビデオ映像と文字情報を合成することなくビデオ映像に文字列を表示することを特徴とするテレビジョン用文字情報表示装置。
【請求項２】
テレビジョン信号を復調するテレビジョン信号復調器と、
復調されたテレビジョン信号に含まれるビデオ映像信号をデコードするビデオデコーダと、
デコードされたビデオ映像を蓄積する記憶装置と、
前記テレビジョン信号から文字情報信号を復号化する文字情報デコーダと、
前記文字情報信号から文字列を作成する文字形状作成器と、
画像の背景となる背景プレーンの色を前記文字列の可読性が最良となるように色変換規則より決定する背景プレーン色制御器と、
前記文字列を表示する部分のビデオ映像の背景プレーンに対するアルファブレンド率を操作する画素変換器と、
ビデオ映像とビデオ映像の背景となる背景プレーンを入力して画像を表示する表示装置と
を有し、前記文字列を表示する部分のビデオ映像のアルファブレンド率を操作することにより背景プレーンを透過させて、背景プレーン色で前記文字列を表示することにより、ビデオ映像と文字情報を合成することなくビデオ映像に文字列を表示することを特徴とするテレビジョン用文字情報表示装置。
【請求項３】
テレビジョン信号を復調するテレビジョン信号復調器と、
復調されたテレビジョン信号に含まれるビデオ映像信号をデコードするビデオデコーダと、
デコードされたビデオ映像をフレーム毎に蓄積するフレームバッファと、
前記テレビジョン信号から文字情報信号を復号化する文字情報デコーダと、
前記文字情報信号から文字列を作成する文字形状作成器と、
前記文字列の可読性が最良となように色変換規則およびフレームの変化傾向より前記文字列を表示する部分のビデオ映像の画素色を変換する画素変換器と、
ビデオ映像を入力して画像を表示する表示装置と
を有し、前記文字列を表示する部分のビデオ映像の画素色を変換することにより、ビデオ映像と文字情報を合成することなくビデオ映像に文字列を表示することを特徴とするテレビジョン用文字情報表示装置。
【請求項４】
テレビジョン信号を復調するテレビジョン信号復調器と、
復調されたテレビジョン信号に含まれるビデオ映像信号をデコードするビデオデコーダと、
デコードされたビデオ映像をフレーム毎に蓄積するフレームバッファと、
前記テレビジョン信号から文字情報信号を復号化する文字情報デコーダと、
前記文字情報信号から文字列を作成する文字形状作成器と、
画像の背景となる背景プレーンの色を前記文字列の可読性が最良となるように色変換規則およびフレームの変化傾向より決定する背景プレーン色制御器と、
前記文字列を表示する部分のビデオ映像の背景プレーンに対するアルファブレンド率を操作する画素変換器と、
ビデオ映像とビデオ映像の背景となる背景プレーンを入力して画像を表示する表示装置と
を有し、前記文字列を表示する部分のビデオ映像のアルファブレンド率を操作することにより背景プレーンを透過させて、背景プレーン色で前記文字列を表示することにより、ビデオ映像と文字情報を合成することなくビデオ映像に文字列を表示することを特徴とするテレビジョン用文字情報表示装置。
【請求項５】
前記色変換規則を、前記文字列を表示するビデオ映像領域内の画素群における各画素の色成分強度度数分布より求められる色情報分布に基づいて決定することを特徴とする請求項１または請求項２または請求項３または請求項４のいずれかに記載のテレビジョン用文字情報表示装置。
【請求項６】
文字情報信号を含むテレビジョン信号を受信して文字列を含むビデオ映像を表示するに際し、
テレビジョン信号を復調して復調されたテレビジョン信号に含まれるビデオ映像信号をデコードする工程と、
デコードされたビデオ映像を記憶装置に蓄積する工程と、
前記テレビジョン信号から文字情報信号を復号化する工程と、
前記文字情報信号から文字列を作成する工程と、
前記文字列を表示するビデオ映像領域内の画素群における各画素の色成分強度度数分布より求められる色情報分布に基づいて前記文字列の可読性が最良となる色変換規則を決定する工程と、
前記色変換規則により前記文字列を表示する部分のビデオ映像の画素色を変換する工程と、
前記文字列を表示する部分の画素色を変換したビデオ映像を表示する工程と
を有し、前記文字列を表示する部分のビデオ映像の画素色を変換することにより、ビデオ映像と文字情報を合成することなくビデオ映像に文字列を表示することを特徴とするテレビジョン用文字情報表示方法。
【請求項７】
文字情報信号を含むテレビジョン信号を受信して文字列を含むビデオ映像を表示するに際し、
テレビジョン信号を復調して復調されたテレビジョン信号に含まれるビデオ映像信号をデコードする工程と、
デコードされたビデオ映像を記憶装置に蓄積する工程と、
前記テレビジョン信号から文字情報信号を復号化する工程と、
前記文字情報信号から文字列を作成する工程と、
前記文字列を表示するビデオ映像領域内の画素群における各画素の色成分強度度数分布より求められる色情報分布に基づいて前記文字列の可読性が最良となる色変換規則を決定する工程と、
前記色変換規則により画像の背景となる背景プレーンの色を変換する工程と、
前記文字列を表示する部分のビデオ映像の背景プレーンに対するアルファブレンド率を操作する工程と、
前記背景プレーンを背景として前記ビデオ映像を表示する工程と
を有し、前記文字列を表示する部分のビデオ映像のアルファブレンド率を操作することにより背景プレーンを透過させて、背景プレーン色で前記文字列を表示することにより、ビデオ映像と文字情報を合成することなくビデオ映像に文字列を表示することを特徴とするテレビジョン用文字情報表示方法。
【請求項８】
文字情報信号を含むテレビジョン信号を受信して文字列を含むビデオ映像を表示するに際し、
テレビジョン信号を復調して復調されたテレビジョン信号に含まれるビデオ映像信号をデコードする工程と、
デコードされたビデオ映像をフレーム毎にフレームバッファに蓄積する工程と、
前記テレビジョン信号から文字情報信号を復号化する工程と、
前記文字情報信号から文字列を作成する工程と、
前記文字列を表示するビデオ映像領域内の画素群における各画素の色成分強度度数分布より求められる色情報分布に基づいて前記文字列の可読性が最良となる色変換規則を決定する工程と、
前記色変換規則およびフレームの変化傾向により前記文字列を表示する部分のビデオ映像の画素色を変換する工程と、
前記文字列を表示する部分の画素色を変換したビデオ映像を表示する工程と
を有し、前記文字列を表示する部分のビデオ映像の画素色を変換することにより、ビデオ映像と文字情報を合成することなくビデオ映像に文字列を表示することを特徴とするテレビジョン用文字情報表示方法。
【請求項９】
文字情報信号を含むテレビジョン信号を受信して文字列を含むビデオ映像を表示するに際し、
テレビジョン信号を復調して復調されたテレビジョン信号に含まれるビデオ映像信号をデコードする工程と、
デコードされたビデオ映像をフレーム毎にフレームバッファに蓄積する工程と、
前記テレビジョン信号から文字情報信号を復号化する工程と、
前記文字情報信号から文字列を作成する工程と、
前記文字列を表示するビデオ映像領域内の画素群における各画素の色成分強度度数分布より求められる色情報分布に基づいて前記文字列の可読性が最良となる色変換規則を決定する工程と、
前記色変換規則およびフレームの変化傾向により画像の背景となる背景プレーンの色を変換する工程と、
前記文字列を表示する部分のビデオ映像の背景プレーンに対するアルファブレンド率を操作する工程と、
前記背景プレーンを背景として前記ビデオ映像を表示する工程と
を有し、前記文字列を表示する部分のビデオ映像のアルファブレンド率を操作することにより背景プレーンを透過させて、背景プレーン色で前記文字列を表示することにより、ビデオ映像と文字情報を合成することなくビデオ映像に文字列を表示することを特徴とするテレビジョン用文字情報表示方法。
【発明の詳細な説明】
【技術分野】
【０００１】
本発明は、テレビジョン信号に重畳された文字情報信号をテレビ画面上に表示するテレビジョン用文字情報表示装置およびテレビジョン用文字情報表示方法に関する。
【背景技術】
【０００２】
現在、テレビジョン信号中に文字情報信号を多重して放送する文字多重放送や字幕情報を含むデータを配信する放送形態が普及している。
以下、図５を用いて従来のテレビジョン信号中に文字情報信号を多重する装置について説明する。
【０００３】
図５は従来の文字情報表示装置を示す構成図である。
図５に示すように、TV信号復調器２１によって復調されたテレビジョン信号はビデオデコーダ２２でデコードされ、ビデオ映像としてビデオRAM２３に格納される。一方、テレビジョン信号から取り出された文字情報は文字情報デコーダ２４によってデコードされ、得られた文字列は文字形状作成器２８に入力される。
【０００４】
文字形状作成器２８は文字列に対応する文字形状をフォントROM２７から読み出し、オンスクリーンディスプレイ（以下、OSDと呼ぶ）の表示データを格納するためのOSD  RAM２９に格納する。ビデオRAM２３およびOSD  RAM２９から読み出された画素情報はプレーン合成器２５によって合成され、ビデオ映像と文字情報が表示装置２６に同時に表示される（例えば、特許文献１参照）。
【特許文献１】特開平９−５１５１２号公報（第２−５頁、第一図）
【発明の開示】
【発明が解決しようとする課題】
【０００５】
しかしながら、図５に示すような従来の文字情報表示装置の構成では、文字情報を表示するためにOSD機能が必要となり、OSD  RAM２９およびプレーン合成器２５を搭載する必要があり、装置が増大化するという問題点を有している。テレビジョンセットがOSD機能を有する装置を搭載している場合でも、文字多重放送や字幕を表示している間はこれらがOSDプレーンを占有することになる。この結果、視聴者に操作を促すためのグラフィカルインターフェイスとしてOSD機能を使用する場合において使用制約を受けることになる。
【０００６】
また、OSDプレーンに対する文字情報の表示手続きとビデオ映像の表示手続きはそれぞれ独立したものであるため、文字情報の表示方法は一様なものとなる。したがって、ビデオ映像の内容によっては文字情報の可読性を著しく損なう場合があるという問題点があった。
【０００７】
以上の問題点を解決するために、本発明のテレビジョン用文字情報表示装置およびテレビジョン用文字情報表示方法は、ＯＳＤ機能を用いることなくビデオ画像に文字情報を表示させると共に、常に、文字情報の可読性を確保することを目的とする。
【課題を解決するための手段】
【０００８】
上記目的を達成するために、本発明の請求項１記載のテレビジョン用文字情報表示装置は、テレビジョン信号を復調するテレビジョン信号復調器と、復調されたテレビジョン信号に含まれるビデオ映像信号をデコードするビデオデコーダと、デコードされたビデオ映像を蓄積する記憶装置と、前記テレビジョン信号から文字情報信号を復号化する文字情報デコーダと、前記文字情報信号から文字列を作成する文字形状作成器と、前記文字列の可読性が最良となる色変換規則により前記文字列を表示する部分のビデオ映像の画素色を変換する画素変換器と、ビデオ映像を入力して画像を表示する表示装置とを有し、前記文字列を表示する部分のビデオ映像の画素色を変換することにより、ビデオ映像と文字情報を合成することなくビデオ映像に文字列を表示することを特徴とする。
【０００９】
請求項２記載のテレビジョン用文字情報表示装置は、テレビジョン信号を復調するテレビジョン信号復調器と、復調されたテレビジョン信号に含まれるビデオ映像信号をデコードするビデオデコーダと、デコードされたビデオ映像を蓄積する記憶装置と、前記テレビジョン信号から文字情報信号を復号化する文字情報デコーダと、前記文字情報信号から文字列を作成する文字形状作成器と、画像の背景となる背景プレーンの色を前記文字列の可読性が最良となるように色変換規則より決定する背景プレーン色制御器と、前記文字列を表示する部分のビデオ映像の背景プレーンに対するアルファブレンド率を操作する画素変換器と、ビデオ映像とビデオ映像の背景となる背景プレーンを入力して画像を表示する表示装置とを有し、前記文字列を表示する部分のビデオ映像のアルファブレンド率を操作することにより背景プレーンを透過させて、背景プレーン色で前記文字列を表示することにより、ビデオ映像と文字情報を合成することなくビデオ映像に文字列を表示することを特徴とする。
【００１０】
請求項３記載のテレビジョン用文字情報表示装置は、テレビジョン信号を復調するテレビジョン信号復調器と、復調されたテレビジョン信号に含まれるビデオ映像信号をデコードするビデオデコーダと、デコードされたビデオ映像をフレーム毎に蓄積するフレームバッファと、前記テレビジョン信号から文字情報信号を復号化する文字情報デコーダと、前記文字情報信号から文字列を作成する文字形状作成器と、前記文字列の可読性が最良となように色変換規則およびフレームの変化傾向より前記文字列を表示する部分のビデオ映像の画素色を変換する画素変換器と、ビデオ映像を入力して画像を表示する表示装置とを有し、前記文字列を表示する部分のビデオ映像の画素色を変換することにより、ビデオ映像と文字情報を合成することなくビデオ映像に文字列を表示することを特徴とする。
【００１１】
請求項４記載のテレビジョン用文字情報表示装置は、テレビジョン信号を復調するテレビジョン信号復調器と、復調されたテレビジョン信号に含まれるビデオ映像信号をデコードするビデオデコーダと、デコードされたビデオ映像をフレーム毎に蓄積するフレームバッファと、前記テレビジョン信号から文字情報信号を復号化する文字情報デコーダと、前記文字情報信号から文字列を作成する文字形状作成器と、画像の背景となる背景プレーンの色を前記文字列の可読性が最良となるように色変換規則およびフレームの変化傾向より決定する背景プレーン色制御器と、前記文字列を表示する部分のビデオ映像の背景プレーンに対するアルファブレンド率を操作する画素変換器と、ビデオ映像とビデオ映像の背景となる背景プレーンを入力して画像を表示する表示装置とを有し、前記文字列を表示する部分のビデオ映像のアルファブレンド率を操作することにより背景プレーンを透過させて、背景プレーン色で前記文字列を表示することにより、ビデオ映像と文字情報を合成することなくビデオ映像に文字列を表示することを特徴とする。
【００１２】
請求項５記載のテレビジョン用文字情報表示装置は、請求項１または請求項２または請求項３または請求項４のいずれかに記載のテレビジョン用文字情報表示装置において、前記色変換規則を、前記文字列を表示するビデオ映像領域内の画素群における各画素の色成分強度度数分布より求められる色情報分布に基づいて決定することを特徴とする。
【００１３】
請求項６記載のテレビジョン用文字情報表示方法は、文字情報信号を含むテレビジョン信号を受信して文字列を含むビデオ映像を表示するに際し、テレビジョン信号を復調して復調されたテレビジョン信号に含まれるビデオ映像信号をデコードする工程と、デコードされたビデオ映像を記憶装置に蓄積する工程と、前記テレビジョン信号から文字情報信号を復号化する工程と、前記文字情報信号から文字列を作成する工程と、前記文字列を表示するビデオ映像領域内の画素群における各画素の色成分強度度数分布より求められる色情報分布に基づいて前記文字列の可読性が最良となる色変換規則を決定する工程と、前記色変換規則により前記文字列を表示する部分のビデオ映像の画素色を変換する工程と、前記文字列を表示する部分の画素色を変換したビデオ映像を表示する工程とを有し、前記文字列を表示する部分のビデオ映像の画素色を変換することにより、ビデオ映像と文字情報を合成することなくビデオ映像に文字列を表示することを特徴とする。
【００１４】
請求項７記載のテレビジョン用文字情報表示方法は、文字情報信号を含むテレビジョン信号を受信して文字列を含むビデオ映像を表示するに際し、テレビジョン信号を復調して復調されたテレビジョン信号に含まれるビデオ映像信号をデコードする工程と、デコードされたビデオ映像を記憶装置に蓄積する工程と、前記テレビジョン信号から文字情報信号を復号化する工程と、前記文字情報信号から文字列を作成する工程と、前記文字列を表示するビデオ映像領域内の画素群における各画素の色成分強度度数分布より求められる色情報分布に基づいて前記文字列の可読性が最良となる色変換規則を決定する工程と、前記色変換規則により画像の背景となる背景プレーンの色を変換する工程と、前記文字列を表示する部分のビデオ映像の背景プレーンに対するアルファブレンド率を操作する工程と、前記背景プレーンを背景として前記ビデオ映像を表示する工程とを有し、前記文字列を表示する部分のビデオ映像のアルファブレンド率を操作することにより背景プレーンを透過させて、背景プレーン色で前記文字列を表示することにより、ビデオ映像と文字情報を合成することなくビデオ映像に文字列を表示することを特徴とする。
【００１５】
請求項８記載のテレビジョン用文字情報表示方法は、文字情報信号を含むテレビジョン信号を受信して文字列を含むビデオ映像を表示するに際し、テレビジョン信号を復調して復調されたテレビジョン信号に含まれるビデオ映像信号をデコードする工程と、デコードされたビデオ映像をフレーム毎にフレームバッファに蓄積する工程と、前記テレビジョン信号から文字情報信号を復号化する工程と、前記文字情報信号から文字列を作成する工程と、前記文字列を表示するビデオ映像領域内の画素群における各画素の色成分強度度数分布より求められる色情報分布に基づいて前記文字列の可読性が最良となる色変換規則を決定する工程と、前記色変換規則およびフレームの変化傾向により前記文字列を表示する部分のビデオ映像の画素色を変換する工程と、前記文字列を表示する部分の画素色を変換したビデオ映像を表示する工程とを有し、前記文字列を表示する部分のビデオ映像の画素色を変換することにより、ビデオ映像と文字情報を合成することなくビデオ映像に文字列を表示することを特徴とする。
【００１６】
請求項９記載のテレビジョン用文字情報表示方法は、文字情報信号を含むテレビジョン信号を受信して文字列を含むビデオ映像を表示するに際し、テレビジョン信号を復調して復調されたテレビジョン信号に含まれるビデオ映像信号をデコードする工程と、デコードされたビデオ映像をフレーム毎にフレームバッファに蓄積する工程と、前記テレビジョン信号から文字情報信号を復号化する工程と、前記文字情報信号から文字列を作成する工程と、前記文字列を表示するビデオ映像領域内の画素群における各画素の色成分強度度数分布より求められる色情報分布に基づいて前記文字列の可読性が最良となる色変換規則を決定する工程と、前記色変換規則およびフレームの変化傾向により画像の背景となる背景プレーンの色を変換する工程と、前記文字列を表示する部分のビデオ映像の背景プレーンに対するアルファブレンド率を操作する工程と、前記背景プレーンを背景として前記ビデオ映像を表示する工程とを有し、前記文字列を表示する部分のビデオ映像のアルファブレンド率を操作することにより背景プレーンを透過させて、背景プレーン色で前記文字列を表示することにより、ビデオ映像と文字情報を合成することなくビデオ映像に文字列を表示することを特徴とする。
【００１７】
以上により、ＯＳＤ機能を用いることなくビデオ画像に文字情報を表示させると共に、常に、文字情報の可読性を確保することができる。
【発明の効果】
【００１８】
以上のように、ビデオ画像の文字表示位置付近の色情報分布に基づいて、表示する文字色を最適化して、文字情報をビデオ画像に書き戻すことにより、ＯＳＤ機能を用いることなくビデオ画像に文字情報を表示させると共に、常に、文字情報の可読性を確保することができる。
【００１９】
また、ビデオ画像の文字表示位置付近の色情報分布に基づいて、背景プレーン色を文字色にして、ビデオ画像のアルファブレンド率を操作することにより文字列を表示することにより、ＯＳＤ機能を用いることなくビデオ画像に文字情報を表示させると共に、常に、文字情報の可読性を確保することができる。
【発明を実施するための最良の形態】
【００２０】
（実施の形態１）
まず、図１，図２を用いて実施の形態１における文字表示方法について説明する。
図１は本発明における文字情報表示装置を示す構成図、図２は本発明の実施の形態１における色変換手順を説明する概念図である。
【００２１】
図１に示すように、テレビジョン信号復調器１によって復調されたテレビジョン信号からビデオ映像信号が抽出され、ビデオデコーダ２によってデコードされたビデオ映像はビデオRAM３に格納される。一方、テレビジョン信号から抽出された文字情報信号は文字情報デコーダ５によってデコードされ、文字形状作成器９で、この文字列に対応する文字形状をフォントROM８から読み出すことにより文字列を作成する。次に、テレビジョン画面上の文字表示位置に相当する、ビデオ画像を格納したビデオRAM３のアドレスが算出され、これをもとに画素傾向判定器１０が文字表示位置付近の画素群の色情報をビデオRAM３から読み出す。画素傾向判定器１０は、ビデオRAM３から読み出された画素群の色情報の傾向を判定し、この文字表示位置に文字を描画する場合に、最良な可読性が得られる文字色求めるための色変換規則を決定する。
【００２２】
次に、画素傾向判定器１０によって決定された色変換規則は画素変換器６に入力される。画素変換器６は、文字形状作成器９によって作成された文字列が表示さあれる画素の色情報をビデオRAM３から読み出し、与えられた色変換規則に基づいてその画素色を変換してビデオRAM３に書き戻す。この手続きを文字形状作成器９によって作成された文字列全般にわたって実施することにより、ＯＳＤ機器を用いることなくビデオ画面上に文字情報を表示することができる。
【００２３】
ここで、色変換の手順を補足するため、図２を用いて説明する。
まず、ビデオ映像４１上の文字表示位置付近の画素群４２の色情報傾向、つまりR（赤）、G（緑）、B（青）の強度の色情報分布４３が求められる。色情報分布４３を元に、画素群４２の色情報を変換することにより文字を表示する際に最も良好な可読性が得られる色情報変換法則４５を決定する。文字色決定方法の一例として、色情報分布４３において強度分布が最も疎である色相が得られる色情報変換法則を適用することにより，ビデオ画像に対して文字を際立たせる効果が期待できる。
【００２４】
そして、ビデオ映像４１上に表示される文字形状４７に対応する画素のひとつである画素４４を構成する色成分[R，G，B]は、色情報変換法則４５を適用することにより、[R’，G’，B’]に変換される。変換された色情報[R’，G’，B’]をビデオRAMに書き戻すことにより、色変換された画素４６として表示される。この手続きを文字列全般にわたって行うことにより、ＯＳＤ機能を用いることなくビデオ画像に文字情報を表示させると共に、常に、文字情報の可読性を確保することができる。
【００２５】
画素４４の写像である画素４６は色情報変換法則４５の逆変換をおこなうことにより画素４４に戻すことが可能である。したがって、上記の手順によって表示された文字は容易に消去することができる。
（実施の形態２）
次に、図１，図３を用いて本発明の実施の形態２における文字表示方法について説明する。
【００２６】
図３は本発明の実施の形態２における背景色変換手順を説明する概念図である。
図１に示すように、テレビジョン信号復調器１によって復調されたテレビジョン信号からビデオ映像信号が抽出され、ビデオデコーダ２によってデコードされたビデオ映像はビデオRAM３に格納される。一方、テレビジョン信号から抽出された文字情報信号は文字情報デコーダ５によってデコードされ、文字形状作成器９で、この文字列に対応する文字形状をフォントROM８から読み出して文字列に変換される。次に、テレビジョン画面上の文字表示位置に相当する、ビデオ画像を格納したビデオRAM３のアドレスが算出され、これをもとに画素傾向判定器１０が文字表示位置付近の画素群の色情報をビデオRAM３から読み出す。画素傾向判定器１０は、ビデオRAM３から読み出された画素群の色情報の傾向を判定し、この文字表示位置に文字を描画する場合に最良な可読性が得られる文字色を決定する。
【００２７】
ここで、画素傾向判定器１０によって決定された文字色は背景プレーン色制御器７に入力され、背景色として設定される。画素変換器６は、文字形状作成器９によって作成された文字列を表示する部分の画素の透過率（以下、アルファブレンド率と称す）を操作して背景プレーンを透過させることにより、背景プレーンに設定した色の文字列を表示させることができる。
【００２８】
アルファブレンド率操作による文字表示手順を補足するため、図３を用いて説明する。
まず、ビデオ映像５１上の文字表示位置付近の画素群５３の色情報傾向、つまりR（赤）、G（緑）、B（青）の強度の色情報分布５４が求められる。色情報分布５４を元に画素群５３に文字列を表示した際に最も良好な可読性が得られる文字色を決定し、背景プレーン５２の色として設定される。文字色決定方法の一例として、画素群５３を構成する全ての画素についてR、G、B成分の平均を求めることにより画素群５３の代表色を決定し、この代表色のR、G、B成分に対してそれぞれNOT演算を施した色を文字色とすることにより、ビデオ画像に対して文字を際立たせる効果が期待できる。
【００２９】
そして、ビデオ映像５１上に表示される文字形状５５に対応する画素のひとつである画素５６のアルファブレンド率を０、つまり背景プレーン５２が完全に透過される状態にすることにより、背景プレーン色が表示されることになる。この手続きを文字列全般にわたって行うことにより、ＯＳＤ機能を用いることなくビデオ画像に文字情報を表示させると共に、常に、文字情報の可読性を確保することができる。
【００３０】
画素５６のアルファブレンド率を２５５に戻すことにより、背景プレーン５２が透過されない状態に戻すことが可能である。したがって、上記の手順によって表示された文字は容易に消去することができる。
（実施の形態３）
次に、図４を用いて本発明の実施の形態３における文字表示方法について説明する。
【００３１】
図４は本発明の実施の形態３における文字情報表示装置を示す構成図である。
図４に示すように、テレビジョン信号復調器１によって復調されたテレビジョン信号からビデオ映像信号が抽出され、ビデオデコーダ２によってデコードされたビデオ映像はフレームバッファ６１に格納される。フレームバッファ６１は、デコードされた複数のフレームを格納することが可能である。一方、テレビジョン信号から抽出された文字情報信号は文字情報デコーダ５によってデコードされ、文字形状作成器９で、この文字列に対応する文字形状をフォントROM８から読み出し、文字列に変換される。次に、フレームバッファ６１に格納されたフレーム群に対して、テレビジョン画面上の文字表示位置に相当するアドレスが算出され、これをもとに動き傾向判定器６２が文字表示位置付近の画素群の色情報をフレームバッファ６１から読み出す。フレームバッファ６１は、フレームバッファ６１から読み出された複数のフレームにおける画素群の色情報から、この文字表示位置におけるビデオ画像の変化傾向を判定する。このビデオ画像の変化傾向を元に、この文字表示位置に文字を描画する場合に最良な可読性が得られる文字色変換規則を決定する。文字色変換規則決定方法の一例として、ビデオ画像における文字表示位置の映像において時間的に占める割合の高い色相を文字表示位置の代表色とし、この代表色を反転した色相が得られるような文字色変換規則を適用することにより、ビデオ画像の変化に対して適応的に文字の可読性を向上させる効果が期待できる。
【００３２】
動き傾向判定器６２によって決定された文字色変換規則は画素変換器６に入力される。画素変換器６は、文字形状作成器９によって作成された文字形状に対応する画素の色情報をフレームバッファ６１から読み出し、与えられた色変換規則に基づいて変換した色情報をビデオRAM３に書き戻す。この手続きを文字形状作成器９によって作成された文字形状全般にわたって実施することにより、ＯＳＤ機能を用いることなくビデオ画像に文字情報を表示させると共に、常に、文字情報の可読性を確保することができる。
【００３３】
また、ここでは、実施の携帯１で説明したものと同様に、色情報を変換した画素をビデオRAM３に書き戻した場合について説明したが、実施の形態３と同様に、背景プレーン色を文字色にして、ビデオ画像のアルファブレンド率を操作することにより文字列を表示することも可能である。
【図面の簡単な説明】
【００３４】
【図１】本発明における文字情報表示装置を示す構成図
【図２】本発明の実施の形態１における色変換手順を説明する概念図
【図３】本発明の実施の形態２における背景色変換手順を説明する概念図
【図４】本発明の実施の形態３における文字情報表示装置を示す構成図
【図５】従来の文字情報表示装置を示す構成図
【符号の説明】
【００３５】
１    テレビジョン信号復調器
２    ビデオデコーダ
３    ビデオRAM
５    文字情報デコーダ
６    画素変更器
７    背景プレーン色制御器
８    フォントROM
９    文字形状作成器
１０    画素傾向判定器
２１    TV信号復調器
２２    ビデオデコーダ
２３    ビデオRAM
２４    文字情報デコーダ
２５    プレーン合成器
２６    表示装置
２７    フォントROM
２８    文字形状作成器
２９    OSD  RAM
４１    ビデオ映像
４２    画素群
４３    色情報分布
４４    画素
４５    色情報変換法則
４６    画素
４７    文字形状
５１    ビデオ映像
５２    背景プレーン
５３    画素群
５４    色情報分布
５５    文字形状
５６    画素
６１    フレームバッファ
６２    動き傾向判定器
【図１】
2005033741.tif 000003
【図２】
2005033741.tif 000004
【図３】
2005033741.tif 000005
【図４】
2005033741.tif 000006
【図５】
2005033741.tif 000007